(57)【要約】【課題】着脱側本体を単独で使用するときに手指等が雄端子に触れることを防止し、また、雄端子の曲がりを防止する。【解決手段】本発明の情報端末１１は、雌型コネクタ１７を有する固定側本体１３と、固定側本体１３に着脱可能に設けられ雌型コネクタ１７に嵌合される雄端子２４を有する着脱側本体１４とを備えてなるものにおいて、雄端子２４が露出しないように雄端子２４を覆う第１の位置と、雄端子２４を露出させる第２の位置との間で移動可能な保護カバー２７を備え、着脱側本体１３に設けられ保護カバー２７を第１の位置へ移動するように付勢する付勢部材２８を備え、保護カバー２７を第１の位置から第２の位置方向へ移動することを規制する規制部２９を備え、着脱側本体１３が固定側本体１４に装着されるときに規制部２９による規制を解除する解除部１３を備えたことを特徴とする。【選択図】図１
2009009938.tif 000002
【特許請求の範囲】
【請求項１】
壁に取り付けられるものであって雌型コネクタを有する固定側本体と、前記固定側本体に着脱可能に設けられ前記雌型コネクタに嵌合される雄端子を有する着脱側本体とを備えてなる脱着機構を有する情報端末において、
前記着脱側本体に設けられ、前記雄端子が露出しないように前記雄端子を覆う第１の位置と、前記雄端子を露出させる第２の位置との間で移動可能な保護カバーと、
前記着脱側本体に設けられ、前記保護カバーを前記第１の位置へ移動するように付勢する付勢部材と、
前記着脱側本体に設けられ、前記保護カバーを前記第１の位置から前記第２の位置方向へ移動することを規制する規制部と、
前記固定側本体に設けられ、前記着脱側本体が前記固定側本体に装着されるときに前記規制部による規制を解除する解除部とを備えたことを特徴とする脱着機構を有する情報端末。
【請求項２】
前記規制部は、前記保護カバーの周井部と係合する係合爪で構成されていると共に、
前記解除部は、前記係合爪に当たって変形させることにより、前記係合爪による前記保護カバーの規制を解除する解除キーで構成されていることを特徴とする請求項１記載の脱着機構を有する情報端末。
【請求項３】
前記規制部は、前記保護カバーの周井部と係合する係合爪で構成されていると共に、この係合爪は、前記雄端子と直交する方向にスライド可能に設けられ、
前記解除部は、前記係合爪に当たってスライドさせることにより、前記係合爪による前記保護カバーの規制を解除する解除キーで構成され、
前記解除キーは、ほぼ四角柱状に形成され、前記固定側本体のうちの前記係合爪と対応する部位に設けられ、前記雌型コネクタよりも突出した突出長さを有し、突出先端面部の面積が広く構成され、
前記係合爪を、前記保護カバーの周井部と係合する方向へスライドするように付勢するばねを備え、
前記係合爪における前記解除キーと接触する側には、前記解除キーが挿入可能な凹部が設けられ、
前記凹部の壁のうちの前記雄端子から遠い側の壁における前記解除キーが挿入されるときに最初に当接する端部に、前記凹部の底に近い方が前記雄端子に近く、前記凹部の底に遠い方が前記雄端子に遠くなるような傾斜を有する斜面部が設けられ、
前記凹部の深さ方向の長さは、前記雄端子の前記雌型コネクタへの有効嵌合長よりも長くなるように構成され、
前記係合爪の凹部に前記解除キーが挿入開始されたときに、前記凹部の深さ方向に前記有効嵌合長分の長さを残した時点で、前記係合爪は前記ばねの負勢力に抗して前記保護カバーの周井部との係合を解除する方向へスライドして前記保護カバーの規制を解除するように構成されていることを特徴とする請求項１記載の脱着機構を有する情報端末。
【請求項４】
前記規制部は、前記保護カバーの周井部と係合する係合爪で構成されていると共に、この係合爪は、前記雄端子と直交する方向にスライド可能に設けられ、
前記解除部は、前記係合爪に当たってスライドさせることにより、前記係合爪による前記保護カバーの規制を解除する解除キーで構成され、
前記解除キーは、ほぼ四角柱状に形成され、前記固定側本体のうちの前記係合爪と対応する部位に設けられ、前記雌型コネクタよりも突出した突出長さを有し、突出先端面部の面積が広く構成され、
前記係合爪を、前記保護カバーの周井部と係合する方向へスライドするように付勢するばねを備え、
前記係合爪における前記解除キーと接触する側には、前記解除キーが挿入可能な凹部が設けられ、
前記解除キーの側面部のうちの前記雌型コネクタから遠い側の側面部における前記解除キーの突出先端側の端部に、前記解除キーの突出先端に近い方が前記雌型コネクタに近く、前記解除キーの突出先端に遠い方が前記雌型コネクタに遠くなるような傾斜を有する斜面部が設けられ、
前記凹部の深さ方向の長さは、前記雄端子の前記雌型コネクタへの有効嵌合長よりも長くなるように構成され、
前記係合爪の凹部に前記解除キーが挿入開始されたときに、前記凹部の深さ方向に前記有効嵌合長分の長さを残した時点で、前記係合爪は前記ばねの負勢力に抗して前記保護カバーの周井部との係合を解除する方向へスライドして前記保護カバーの規制を解除するように構成されていることを特徴とする請求項１記載の脱着機構を有する情報端末。
【請求項５】
前記規制部は、前記保護カバーの周井部と係合する係合爪で構成されていると共に、この係合爪は、前記雄端子と直交する方向にスライド可能に設けられ、
前記解除部は、前記係合爪に当たってスライドさせることにより、前記係合爪による前記保護カバーの規制を解除する解除キーで構成され、
前記解除キーは、ほぼ四角柱状に形成され、前記固定側本体のうちの前記係合爪と対応する部位に設けられ、前記雌型コネクタよりも突出した突出長さを有し、突出先端面部の面積が広く構成され、
前記係合爪を、前記保護カバーの周井部と係合する方向へスライドするように付勢するばねを備え、
前記係合爪における前記解除キーと接触する側には、前記解除キーが挿入可能且つ貫通可能な貫通孔が設けられ、
前記貫通孔の壁のうちの前記雄端子から遠い側の壁における前記解除キーが挿入されるときに最初に当接する端部に、前記貫通孔の貫通出口に近い方が前記雄端子に近く、前記貫通孔の貫通出口に遠い方が前記雄端子に遠くなるような傾斜を有する斜面部が設けられ、
前記係合爪の貫通孔に前記解除キーが挿入開始されたときに、前記雌型コネクタが前記保護カバーに当接する前の時点で、前記係合爪は前記ばねの負勢力に抗して前記保護カバーの周井部との係合を解除する方向へスライドして前記保護カバーの規制を解除するように構成されていることを特徴とする請求項１記載の脱着機構を有する情報端末。
【請求項６】
前記規制部は、前記保護カバーの周井部と係合する係合爪で構成されていると共に、この係合爪は、前記雄端子と直交する方向にスライド可能に設けられ、
前記解除部は、前記係合爪に当たってスライドさせることにより、前記係合爪による前記保護カバーの規制を解除する解除キーで構成され、
前記解除キーは、ほぼ四角柱状に形成され、前記固定側本体のうちの前記係合爪と対応する部位に設けられ、前記雌型コネクタよりも突出した突出長さを有し、突出先端面部の面積が広く構成され、
前記係合爪を、前記保護カバーの周井部と係合する方向へスライドするように付勢するばねを備え、
前記係合爪における前記解除キーと接触する側には、前記解除キーが挿入可能且つ貫通可能な貫通孔が設けられ、
前記解除キーの側面部のうちの前記雌型コネクタから遠い側の側面部における前記解除キーの突出先端側の端部に、前記解除キーの突出先端に近い方が前記雌型コネクタに近く、前記解除キーの突出先端に遠い方が前記雌型コネクタに遠くなるような傾斜を有する斜面部が設けられ、
前記係合爪の貫通孔に前記解除キーが挿入開始されたときに、前記雌型コネクタが前記保護カバーに当接する前の時点で、前記係合爪は前記ばねの負勢力に抗して前記保護カバーの周井部との係合を解除する方向へスライドして前記保護カバーの規制を解除するように構成されていることを特徴とする請求項１記載の脱着機構を有する情報端末。
【発明の詳細な説明】
【技術分野】
【０００１】
本発明は、壁に取り付けられる固定側本体と、この固定側本体に着脱可能に設けられた着脱側本体とを備えた脱着機構を有する情報端末に関する。
【背景技術】
【０００２】
この種の情報端末の一例を、図１６及び図１７に示す。この情報端末１は、図１６及び図１７に示すように、壁２に取り付けられた固定側本体３と、この固定側本体３に着脱可能に設けられた着脱側本体４とを備えている。着脱側本体４を固定側本体３に取り付ける場合、固定側本体３に設けられた雌型コネクタ５に、着脱側本体４に設けられた雄端子６を嵌合させて接続している。また、着脱側本体４の固定側本体３への取り付け状態は、図示しない着脱機構により保持される構成となっている。着脱側本体４は、固定側本体３から取り外した状態でも、使用可能なものである。尚、特許文献１には、本発明に関連する技術が記載されている。
【特許文献１】実開昭６２−９２５７３号公報
【発明の開示】
【発明が解決しようとする課題】
【０００３】
しかし、上記従来構成の場合、着脱側本体４を、固定側本体３から取り外して単独状態で使用する際に、図１７に示すように、雄端子６が露出しているため、ユーザーの手指等が雄端子６に触れてしまうことがあり、感電や漏電のおそれがあった。また、固定側本体３の雌型コネクタ５に、着脱側本体４の雄端子６を嵌合するときに、位置合わせが悪いと、雄端子６が曲がってしまうことがあった。
【０００４】
これに対して、図１８ないし図２０に示すような構成の情報端末を考えてみた。この情報端末においては、着脱側本体４に雄端子６をカバーする保護カバー７を設けた。この保護カバー７は、スプリング８を介して図１８中左右方向に移動可能に設けられている。保護カバー７には、雄端子６を挿通させる貫通孔７ａが形成されている。
【０００５】
しかし、上記構成の場合、着脱側本体４を、単独状態で使用する際に、図２０に示すように、手指で保護カバー７を押すと、保護カバー７が内方（図２０中右方）へ移動し、雄端子６が保護カバー７の貫通孔７ａを通って外方へ突出し、指が雄端子６に触れてしまうという問題点があった。また、固定側本体３の雌型コネクタ５に、着脱側本体４の雄端子６を嵌合するときに、雄端子６の曲がりを防止できないという問題点も以前としてあった。
【０００６】
そこで、本発明の目的は、着脱側本体を単独で使用するときに手指等が雄端子に触れることを防止でき、また、雄端子の曲がりを防止できる情報端末を提供することにある。
【課題を解決するための手段】
【０００７】
請求項１の発明によれば、着脱側本体に設けられ、雄端子が露出しないように前記雄端子を覆う第１の位置と、前記雄端子を露出させる第２の位置との間で移動可能な保護カバーを備え、前記着脱側本体に設けられ、前記保護カバーを前記第１の位置へ移動するように付勢する付勢部材を備え、前記着脱側本体に設けられ、前記保護カバーを前記第１の位置から前記第２の位置方向へ移動することを規制する規制部を備え、固定側本体に設けられ、前記着脱側本体が前記固定側本体に装着されるときに前記規制部による規制を解除する解除部を備えたので、着脱側本体を単独で使用するときは、規制部により保護カバーが移動しないように規制されるから、手指等が雄端子に触れることを防止できる。また、着脱側本体を固定側本体に装着するときに、解除部によって規制部による規制を解除するように構成したので、解除部が着脱側本体の位置決めを行う部材として作用することから、雄端子の曲がりを防止することができる。
【０００８】
請求項２の発明によれば、前記規制部を、前記保護カバーの周井部と係合する係合爪で構成すると共に、前記解除部を、前記係合爪に当たって変形させることにより、前記係合爪による前記保護カバーの規制を解除する解除キーで構成したので、前記規制部及び前記解除部を簡単な構成にて容易に実現することができる。
【０００９】
請求項３の発明によれば、前記規制部は、前記保護カバーの周井部と係合する係合爪で構成されていると共に、この係合爪は、前記雄端子と直交する方向にスライド可能に設けられ、前記解除部は、前記係合爪に当たってスライドさせることにより、前記係合爪による前記保護カバーの規制を解除する解除キーで構成され、前記解除キーは、ほぼ四角柱状に形成され、前記固定側本体のうちの前記係合爪と対応する部位に設けられ、前記雌型コネクタよりも突出した突出長さを有し、突出先端面部の面積が広く構成され、前記係合爪を、前記保護カバーの周井部と係合する方向へスライドするように付勢するばねを備え、前記係合爪における前記解除キーと接触する側には、前記解除キーが挿入可能な凹部が設けられ、前記凹部の壁のうちの前記雄端子から遠い側の壁における前記解除キーが挿入されるときに最初に当接する端部に、前記凹部の底に近い方が前記雄端子に近く、前記凹部の底に遠い方が前記雄端子に遠くなるような傾斜を有する斜面部が設けられ、前記凹部の深さ方向の長さは、前記雄端子の前記雌型コネクタへの有効嵌合長よりも長くなるように構成され、更に、前記係合爪の凹部に前記解除キーが挿入開始されたときに、前記凹部の深さ方向に前記有効嵌合長分の長さを残した時点で、前記係合爪は前記ばねの負勢力に抗して前記保護カバーの周井部との係合を解除する方向へスライドして前記保護カバーの規制を解除するように構成されているので、解除キーに手指が触れたときに手指が傷つくことがなくなり、また、解除キーが破損することもなくなる。更に、解除キーの突出長さが雌型コネクタの突出長さよりも長いので、最初に解除キーが着脱側本体に広い面積の面で衝突することになるから、衝突緩衝の役割を果たすと共に、雌型コネクタを保護することが可能となる。
【００１０】
請求項４の発明によれば、前記規制部は、前記保護カバーの周井部と係合する係合爪で構成されていると共に、この係合爪は、前記雄端子と直交する方向にスライド可能に設けられ、前記解除部は、前記係合爪に当たってスライドさせることにより、前記係合爪による前記保護カバーの規制を解除する解除キーで構成され、前記解除キーは、ほぼ四角柱状に形成され、前記固定側本体のうちの前記係合爪と対応する部位に設けられ、前記雌型コネクタよりも突出した突出長さを有し、突出先端面部の面積が広く構成され、前記係合爪を、前記保護カバーの周井部と係合する方向へスライドするように付勢するばねを備え、前記係合爪における前記解除キーと接触する側には、前記解除キーが挿入可能な凹部が設けられ、前記解除キーの側面部のうちの前記雌型コネクタから遠い側の側面部における前記解除キーの突出先端側の端部に、前記解除キーの突出先端に近い方が前記雌型コネクタに近く、前記解除キーの突出先端に遠い方が前記雌型コネクタに遠くなるような傾斜を有する斜面部が設けられ、前記凹部の深さ方向の長さは、前記雄端子の前記雌型コネクタへの有効嵌合長よりも長くなるように構成され、前記係合爪の凹部に前記解除キーが挿入開始されたときに、前記凹部の深さ方向に前記有効嵌合長分の長さを残した時点で、前記係合爪は前記ばねの負勢力に抗して前記保護カバーの周井部との係合を解除する方向へスライドして前記保護カバーの規制を解除するように構成されているので、請求項３の発明とほぼ同じ作用効果を得ることができる。
【００１１】
請求項５の発明によれば、前記規制部は、前記保護カバーの周井部と係合する係合爪で構成されていると共に、この係合爪は、前記雄端子と直交する方向にスライド可能に設けられ、前記解除部は、前記係合爪に当たってスライドさせることにより、前記係合爪による前記保護カバーの規制を解除する解除キーで構成され、前記解除キーは、ほぼ四角柱状に形成され、前記固定側本体のうちの前記係合爪と対応する部位に設けられ、前記雌型コネクタよりも突出した突出長さを有し、突出先端面部の面積が広く構成され、前記係合爪を、前記保護カバーの周井部と係合する方向へスライドするように付勢するばねを備え、前記係合爪における前記解除キーと接触する側には、前記解除キーが挿入可能且つ貫通可能な貫通孔が設けられ、前記貫通孔の壁のうちの前記雄端子から遠い側の壁における前記解除キーが挿入されるときに最初に当接する端部に、前記貫通孔の貫通出口に近い方が前記雄端子に近く、前記貫通孔の貫通出口に遠い方が前記雄端子に遠くなるような傾斜を有する斜面部が設けられ、前記係合爪の貫通孔に前記解除キーが挿入開始されたときに、前記雌型コネクタが前記保護カバーに当接する前の時点で、前記係合爪は前記ばねの負勢力に抗して前記保護カバーの周井部との係合を解除する方向へスライドして前記保護カバーの規制を解除するように構成されているので、請求項３の発明とほぼ同じ作用効果を得ることができ、特に、係合爪に解除キーが挿入可能且つ貫通可能な貫通孔を設けたので、係合爪のうちの挿入方向の長さを小さくすることができる。
【００１２】
請求項６の発明によれば、前記規制部は、前記保護カバーの周井部と係合する係合爪で構成されていると共に、この係合爪は、前記雄端子と直交する方向にスライド可能に設けられ、前記解除部は、前記係合爪に当たってスライドさせることにより、前記係合爪による前記保護カバーの規制を解除する解除キーで構成され、前記解除キーは、ほぼ四角柱状に形成され、前記固定側本体のうちの前記係合爪と対応する部位に設けられ、前記雌型コネクタよりも突出した突出長さを有し、突出先端面部の面積が広く構成され、前記係合爪を、前記保護カバーの周井部と係合する方向へスライドするように付勢するばねを備え、前記係合爪における前記解除キーと接触する側には、前記解除キーが挿入可能且つ貫通可能な貫通孔が設けられ、前記解除キーの側面部のうちの前記雌型コネクタから遠い側の側面部における前記解除キーの突出先端側の端部に、前記解除キーの突出先端に近い方が前記雌型コネクタに近く、前記解除キーの突出先端に遠い方が前記雌型コネクタに遠くなるような傾斜を有する斜面部が設けられ、前記係合爪の貫通孔に前記解除キーが挿入開始されたときに、前記雌型コネクタが前記保護カバーに当接する前の時点で、前記係合爪は前記ばねの負勢力に抗して前記保護カバーの周井部との係合を解除する方向へスライドして前記保護カバーの規制を解除するように構成されているので、請求項５の発明とほぼ同じ作用効果を得ることができる。
【発明を実施するための最良の形態】
【００１３】
以下、本発明の第１の実施例について、図１ないし図４を参照しながら説明する。まず、図１及び図２に示すように、本実施例の情報端末１１は、壁１２に例えばねじ止めにより取り付けられた固定側本体１３と、この固定側本体１３に着脱可能に設けられた着脱側本体１４とから構成されている。
【００１４】
固定側本体１３のケース１５内には、プリント配線基板１６が配設されており、このプリント配線基板１６の図１中の右側の面部には、雌型コネクタ１７が配設されている。雌型コネクタ１７は、ケース１５の図１中の右側の壁部１８に形成された貫通口１９を通って外方へ突出している。ケース１５の壁部１８における貫通口１９の上下部位には、解除部である例えば解除キー２０、２０が図１中の右方へ向けて突設されている。
【００１５】
着脱側本体１４のケース２２内には、プリント配線基板２３が配設されており、このプリント配線基板２３には、雌型コネクタ１７に嵌合接続される雄端子２４が図１中の左方へ向けて突設されている。プリント配線基板２３の図１中の右側の面部には、各種の電気部品が実装されている。ケース２２の図１中の左側の壁部２５には、前記ケース１５の貫通口１９とほぼ同じ大きさの、即ち、雌型コネクタ１７が挿通可能な大きさの貫通口２６が形成されている。
【００１６】
また、ケース２２内における上記貫通口２６に対応する部位には、保護カバー２７が貫通口２６を塞ぐように配設されている。この保護カバー２７は、スプリング２８、２８により図１中左方へ付勢されていると共に、左右方向へ移動可能なように構成されている。この構成の場合、保護カバー２７が壁部２５の内面に当接したときには、壁部２５に突設された係合爪（規制部）２９、２９により、保護カバー２７の右方への移動が規制されている。
【００１７】
保護カバー２７の中央部分には、左方へ突出する段部２７ａが形成されており、保護カバー２７が壁部２５に当接したときに、上記段部２７ａが貫通口２６内に嵌合し、段部２７ａの外面と壁部２５の外面がほぼ面一になるように構成されている。段部２７ａの中心には、雄端子２４が挿通可能な大きさの貫通孔２７ｂが形成されている。
【００１８】
壁部２５における係合爪２９、２９に近接する部位には、固定側本体１３のケース１５の解除キー２０、２０が挿通可能な貫通孔３０、３０が形成されている。この場合、解除キー２０、２０を貫通孔３０、３０内に挿入すると、図４に示すように、係合爪２９、２９が変形し、保護カバー２７の右方への移動が許容される構成となっている。
【００１９】
さて、上記構成の場合、着脱側本体１４を、固定側本体１３から取り外した状態で使用する場合、図３に示すように、保護カバー２７によりケース２２の貫通孔２６が塞がれ、雄端子２４が露出しない構成となっているので、ユーザーの手指が雄端子２４に触れてしまうことを防止できる。特に、上記実施例においては、保護カバー２７が壁部２５の内面に当接した状態で、壁部２５の係合爪２９、２９により、保護カバー２７の右方への移動を規制するように構成したので、ユーザーの手指で保護カバー２７を押しても、保護カバー２７は右方へ移動しない。このため、従来構成とは異なり、ユーザーの手指が雄端子２４に触れてしまうことを確実に防止できる。
【００２０】
一方、着脱側本体１４を固定側本体１３に取り付ける場合には、図１に示すように、固定側本体１３の解除キー２０、２０に、着脱側本体１４の貫通孔３０、３０を対向させた後、着脱側本体１４を固定側本体１３に近づけ、解除キー２０、２０を貫通孔３０、３０内に挿入する。すると、図４に示すように、解除キー２０、２０が係合爪２９、２９を変形させることにより、保護カバー２７の右方への移動が許容されるようになる。
【００２１】
この後、更に、着脱側本体１４を固定側本体１３に近づけると、固定側本体１３の雌型コネクタ１７が保護カバー２７に当接してこれを右方へ移動させる。すると、図２に示すように、着脱側本体１４の雄端子２４が保護カバー２７の貫通孔２７ｂ内を挿通し、保護カバー２７の外方へ露出するようになることから、雄端子２４が雌型コネクタ１７に嵌合して接続される。
【００２２】
上記構成の場合、図１（図３）に示す状態（位置）が、雄端子２４が露出しないように保護カバー２７が雄端子２４を覆う第１の位置である。また、図２に示す状態（位置）が、雄端子２４を露出させる第２の位置である。そして、保護カバー２７は、第１の位置と第２の位置との間で移動可能な構成となっている。尚、着脱側本体１４の固定側本体１３への取り付け状態（図２参照）は、図示しない着脱機構（例えば係合爪等の係合機構やねじ止め機構など）により保持されている。
【００２３】
また、上記実施例においては、着脱側本体１４を固定側本体１３に取り付ける場合（即ち、固定側本体１３の雌型コネクタ１７に、着脱側本体１４の雄端子２４を嵌合する場合）、固定側本体１３の解除キー２０、２０を、着脱側本体１４の貫通孔３０、３０内に挿入するように構成したので、着脱側本体１４を固定側本体１３に対して位置決めすることができる。このため、固定側本体１３の雌型コネクタ１７に、着脱側本体１４の雄端子２４を嵌合するときに、雄端子２４の曲がりを防止することができる。
【００２４】
更に、上記実施例では、保護カバー２７の周井部と係合する係合爪２９で、規制部を構成すると共に、係合爪２９に当たってこれを変形させることにより、係合爪２９による保護カバー２７の規制を解除する解除キー２０で、解除部を構成したので、規制部及び解除部を簡単な構成にて容易に実現することができる。
【００２５】
ところで、上記第１の実施例においては、細長い尖った形状の解除キー２０が固定側本体１３に突出して設けられているので、解除キー２０に手指が触れてしまい、手指が傷付くおそれがある。また、細長い形状の解除キー２０が露出しているため、解除キー２０が外力等により破損し易いという不具合がある。そして、解除キー２０が破損したときには、固定側本体１３の雌型コネクタ１７に着脱側本体１４の雄端子２４を嵌合させることができない。従って、上記第１の実施例についても、上記した各不具合を解消することが要請されている。以下、上記各不具合を解消する複数の実施例について、順に説明する。
【００２６】
まず、図５ないし図１０は、本発明の第２の実施例を示すものである。尚、第１の実施例と同一構成には、同一符号を付している。第２の実施例では、解除キー２０及び係合爪２９に代えて解除キー４１及び係合爪４２を設けた。
【００２７】
解除キー４１は、図５及び図７に示すように、ほぼ四角柱状に形成されており、固定側本体１３の壁部１８のうちの係合爪４２と対応する部位、具体的には、図９に示すような４箇所に設けられている。解除キー４１は、雌型コネクタ１７よりも突出した突出長さｃ（図５参照）を有し、また、解除キー４１の寸法ｂ（図５、図９参照）と寸法ａ（図９参照）との間には、ｂ＞ａが成り立ち、更に、寸法ａは、指の幅寸法のほぼ１／３〜１／２程度の寸法となるように構成されている。これにより、解除キー４１の突出先端面部４１ａ（図９参照）の面積が広く構成され、手指が触れても傷つかないような構成となっている。尚、解除キー４１の形状を丸みを帯びた形状としても良い。
【００２８】
係合爪４２は、図示しないガイドレールにより雄端子と直交する方向（図５、図６中の上下方向）にスライド可能に設けられている。また、係合爪４２は、ばね４３により保護カバー２７の周井部と係合する方向（雄端子２４に近づく方向）へスライドするように付勢されている。係合爪４２は、図７に示すように、全体としてほぼＬ字型の部材で構成されており、一辺部４４と他辺部４５を有する。一辺部４４の先端部（図７中の下端部）４４ａが、保護カバー２７の周井部と係合する爪部を構成しており、この係合により保護カバー２７の右方への移動が規制される（図５参照）。
【００２９】
上記一辺部４４には、解除キー４１が挿入可能且つ貫通可能な大きさの矩形状の貫通孔４６が形成されている。また、他辺部４５の先端部（図７中の左端部）、即ち、貫通孔４６の壁のうちの雄端子２４から遠い側の壁４７における解除キー４１が挿入されるときに最初に当接する端部に、斜面部４８が形成されている。この斜面部４８は、貫通孔４６の貫通出口（図７中の右端側）に近い方が雄端子２４に近く、貫通孔４６の貫通出口に遠い方が雄端子２４に遠くなるような傾斜を有する。
【００３０】
また、着脱側本体１４の壁部２５の中の係合爪４２に対応する部位には、解除キー４１が挿通可能な矩形状の開口部４９が形成されている。この開口部４９内には、係合爪４２の他辺部４５の斜面部４８が挿入されると共に、開口部４９内において斜面部４８が雄端子２４と直交する方向にスライド可能なように構成されている。
【００３１】
上記構成の場合、固定側本体１３から着脱側本体１４を取り外した状態では、図５、図９に示すように、解除キー４１がほぼ四角柱状に形成され、その突出先端面部４１ａの面積が広く構成されているので、ユーザーの手指が解除キー４１に触れたとしても、手指が傷付くことを防止できる。また、外力が解除キー４１に作用したとしても、解除キー４１が破損することを防止できる。
【００３２】
さて、着脱側本体１４を固定側本体１３に取り付ける場合には、図５に示すように、固定側本体１３の解除キー４１に、着脱側本体１４の開口部４９を対向させる。この後、着脱側本体１４を固定側本体１３に近づけ、解除キー４１を貫通孔４９内に挿入開始すると、解除キー４１の先端部が係合爪４２の斜面部４８の先端部に当接する（図８（ａ）参照）。
【００３３】
この状態（図８（ａ）参照）から、解除キー４１を開口部４９内に更に挿入すると、図８（ｂ）に示すように、解除キー４１の先端部が係合爪４２の斜面部４８を押すことにより、係合爪４２が雄端子２４と直交する方向、この場合、雄端子２４から離れる方向にスライドする。そして、解除キー４１を開口部４９内に更に挿入すると、図８（ｃ）に示すように、係合爪４２は、保護カバー２７の右方への移動が許容される位置までスライドする。
【００３４】
この後、更に、着脱側本体１４を固定側本体１３に近づけると（解除キー４１を開口部４９内に更に挿入すると）、図８（ｄ）に示すように、固定側本体１３の雌型コネクタ１７が保護カバー２７に当接してこれを右方へ移動させる。すると、着脱側本体１４の雄端子２４が保護カバー２７の貫通孔２７ｂ内を挿通し、保護カバー２７の外方へ露出するようになることから、雄端子２４が雌型コネクタ１７に嵌合し始める。このとき、解除キー４１の先端部は、係合爪４２の他辺部４５の貫通孔４６内に挿入されるようになる（図７も参照）。
【００３５】
そして、図６に示すように、雄端子２４が雌型コネクタ１７に完全に嵌合すると、即ち、有効嵌合長ｄになるまで嵌合すると、着脱側本体１４の壁部２５が固定側本体１３の壁部１８に当接する。これにより、雄端子２４と雌型コネクタ１７との接続が完了する。
【００３６】
上記構成の場合、解除キー４１の突出長さｃ（図５参照）のうちの先端部の長さｃ１（図８（ｃ）参照）は、解除キー４１が係合爪４２の斜面部４６に当たってこれを押してスライドさせ、保護カバー２７の右方への移動が許容される位置までスライドさせる（図８（ａ）〜（ｃ）参照）のに要する長さである。そして、突出長さｃのうちの先端部の長さｃ１を除く長さｃ２（図８（ｃ）参照）は、雌型コネクタ１７が保護カバー２７に当接してこれを右方へ移動させると共に、雌型コネクタ１７が雄端子２４に嵌合し始めてから、雌型コネクタ１７が雄端子２４に完全に嵌合するまでの長さである有効嵌合長ｄ（図６参照）に対応する長さ（即ち、有効嵌合長ｄに等しいかそれ以上の長さ）である。
【００３７】
上述した以外の第２の実施例の構成は、第１の実施例と同じ構成となっている。従って、第２の実施例においても、第１の実施例とほぼ同じ作用効果を得ることができる。特に、第２の実施例によれば、固定側本体１３から着脱側本体１４を取り外した場合に、図５、図９に示すように、固定側本体１３の解除キー４１をほぼ四角柱状に形成し、その突出先端面部４１ａの面積を広くするように構成したので、ユーザーの手指が解除キー４１に触れたとしても、手指が傷付くことを防止でき、また、何らかの外力が解除キー４１に作用したとしても、解除キー４１が破損することを防止できる。また、第２の実施例においては、係合爪４２に解除キー４１が挿入可能且つ貫通可能な貫通孔４６を設けたので、係合爪４２のうちの挿入方向の長さ（図７中の左右方向の長さ）を小さくすることができる。
【００３８】
図１１ないし図１４は、本発明の第３の実施例を示すものである。尚、第２の実施例と同一の構成には、同一の符号を付している。この第３の実施例では、係合爪４２に貫通孔４６を設ける代わりに、図１３に示すように、解除キー４１が挿入可能な凹部５０を設けた。
【００３９】
この凹部５０の深さ方向の長さｅ（図１１参照）は、雄端子２４の雌型コネクタ１７への有効嵌合長ｄよりも長くなるように構成されている。この構成の場合、上記凹部５０に解除キー４１が挿入開始されると、図１４（ａ）、（ｂ）に示すように、解除キー４１の先端部が係合爪４２の斜面部４８を押すことにより、係合爪４２が雄端子２４と直交する方向、即ち、雄端子２４から離れる方向にスライドする。そして、解除キー４１を凹部５０内に更に挿入すると、図１４（ｃ）に示すように、係合爪４２は、保護カバー２７の右方への移動が許容される位置までスライドする。
【００４０】
この状態のときに、凹部５０の深さ方向に解除キー４１を有効嵌合長ｄ分の長さ以上更に挿入することが可能な構成となっている。即ち、解除キー４１を凹部５０に挿入したときに、凹部５０の深さ方向に解除キー４１を有効嵌合長ｄ分の長さを残した時点で、係合爪４２は前記ばね４３の付勢力に抗して保護カバー２７の周井部との係合を解除する方向へスライドして保護カバー２７の規制を解除する構成となっている。
【００４１】
この後、解除キー４１を凹部５０に更に挿入すると、図１４（ｄ）に示すように、固定側本体１３の雌型コネクタ１７が保護カバー２７に当接してこれを右方へ移動させる。すると、着脱側本体１４の雄端子２４が保護カバー２７の貫通孔２７ｂ内を挿通し、保護カバー２７の外方へ露出するようになり、雄端子２４が雌型コネクタ１７に嵌合し始める。
【００４２】
そして、図１２に示すように、雄端子２４が雌型コネクタ１７に完全に嵌合すると、即ち、有効嵌合長ｄになるまで嵌合すると、雄端子２４と雌型コネクタ１７との接続が完了する。このとき、解除キー４１の突出端部は、凹部５０の底部に当接しないように構成することが好ましい。
【００４３】
上述した以外の第３の実施例の構成は、第２の実施例と同じ構成となっている。従って、第３の実施例においても、第２の実施例とほぼ同じ作用効果を得ることができる。
図１５は、本発明の第４の実施例を示すものである。尚、第２の実施例と同一の構成には、同一の符号を付している。この第４の実施例では、係合爪４２に斜面部４８を設けることを止めて、解除キー４１に斜面部５１を設けた。
【００４４】
具体的には、図１５に示すように、解除キー４１の側面部のうちの雌型コネクタ１７から遠い側の側面部５２における解除キー４１の突出先端側の端部に、斜面部５１を設けた。この斜面部５１は、解除キー４１の突出先端に近い方が雌型コネクタ１７に近く、解除キー４１の突出先端に遠い方が雌型コネクタ１７に遠くなるような傾斜を有している。
【００４５】
上述した以外の第４の実施例の構成は、第２の実施例と同じ構成となっている。従って、第４の実施例においても、第２の実施例とほぼ同じ作用効果を得ることができる。
尚、上記第４の実施例では、解除キー４１に斜面部５１を設け、係合爪４２に斜面部４８を設けることを止める構成としたが、これに代えて、解除キー４１及び係合爪４２の両方に斜面部を設けるように構成しても良い。
【００４６】
また、前記した第３の実施例において、解除キー４１に斜面部５１を設け、係合爪４２に斜面部４８を設けることを止める構成としても良い。更にまた、第３の実施例において、解除キー４１に斜面部５１を設けると共に、係合爪４２に斜面部４８を設ける構成としても良い。
【００４７】
尚、上記各実施例においては、規制部を係合爪２９、４２で構成し、解除部を解除キー２０、４１で構成したが、これに限られるものではなく、規制部並びに解除部を他の構成で構成しても良い。
【図面の簡単な説明】
【００４８】
【図１】本発明の第１の実施例を示すもので、固定側本体から着脱側本体を取り外した状態の情報端末の縦断側面図
【図２】固定側本体に着脱側本体を取り付けた状態の情報端末の縦断側面図
【図３】着脱側本体の縦断側面図
【図４】解除キーにより係合爪の規制が解除される動作を説明する図
【図５】本発明の第２の実施例を示す図１相当図
【図６】図２相当図
【図７】解除キーと係合爪の斜視図
【図８】図４相当図
【図９】固定側本体のうちの着脱側本体を取り付ける側の面を示す平面図
【図１０】着脱側本体のうちの固定側本体に取り付ける側の面を示す平面図
【図１１】本発明の第３の実施例を示す図５相当図
【図１２】図６相当図
【図１３】図７相当図
【図１４】図８相当図
【図１５】本発明の第４の実施例を示す図７相当図
【図１６】従来構成を示す図２相当図
【図１７】図１相当図
【図１８】他の従来構成を示す図１相当図
【図１９】図２相当図
【図２０】手指が雄端子に触れてしまう状態を説明する着脱側本体の縦断側面図
【符号の説明】
【００４９】
図面中、１１は情報端末、１２は壁、１３は固定側本体、１４は着脱側本体、１５はケース、１６はプリント配線基板、１７は雌型コネクタ、１８は右側壁部、１９は貫通口、２０は解除キー（解除部）、２２はケース、２３はプリント配線基板、２４は雄端子、２５は壁部、２６は貫通口、２７は保護カバー、２８はスプリング（付勢部材）、２９は係合爪（規制部）、３０は貫通孔、４１は解除キー、４２は係合爪、４３はばね、４４は一辺部、４４ａは先端部、４５は他辺部、４６は貫通孔、４７は壁、４８は斜面部、４９は開口部、５０は凹部を示す。
【図１】
2009009938.tif 000003
【図２】
2009009938.tif 000004
【図３】
2009009938.tif 000005
【図４】
2009009938.tif 000006
【図５】
2009009938.tif 000007
【図６】
2009009938.tif 000008
【図７】
2009009938.tif 000009
【図８】
2009009938.tif 000010
【図９】
2009009938.tif 000011
【図１０】
2009009938.tif 000012
【図１１】
2009009938.tif 000013
【図１２】
2009009938.tif 000014
【図１３】
2009009938.tif 000015
【図１４】
2009009938.tif 000016
【図１５】
2009009938.tif 000017
【図１６】
2009009938.tif 000018
【図１７】
2009009938.tif 000019
【図１８】
2009009938.tif 000020
【図１９】
2009009938.tif 000021
【図２０】
2009009938.tif 000022